(57)【要約】【課題】取り付け工事が簡単で、送風管が邪魔にならない室内用の空気循環具を提供する。【解決手段】本考案による空気循環具は、空気循環用のファン（１）と、ファンに回動可能に取り付けられる吊り金具（３）と、天井または壁に取り付けられ、吊り金具を掛けるフック付きの取付金具（４）と、ファンの下部に着脱可能に装着され、天井側の空気を床側に送る、柔軟性のある部材で構成された円筒部（８）と、を含んで構成される。柔軟性のある部材は、不織布または樹脂製のシートであることが好ましい。【選択図】図４
0003115876.tif 000002
【実用新案登録請求の範囲】
【請求項１】
空気循環用のファンと、
前記ファンに回動可能に取り付けられる吊り金具と、
天井または壁に取り付けられ、前記吊り金具を掛けるフック付きの取付金具と、
前記ファンの下部に着脱可能に装着され、天井側の空気を床側に送る、柔軟性のある部材で構成された円筒部と、を含むことを特徴とする室内用の空気循環具。
【請求項２】
前記柔軟性のある部材が、不織布または樹脂製のシートであることを特徴とする請求項１に記載の室内用の空気循環具。
【請求項３】
複数のＬＥＤが繋ぎ合わされたＬＥＤ発光体が、前記円筒部の内部に吊り下げられ、ムード照明体とされることを特徴とする請求項１に記載の室内用の空気循環具。
【考案の詳細な説明】
【技術分野】
【０００１】
本考案は、室内の空気を循環させる室内用の空気循環具に関する。
【背景技術】
【０００２】
暖気は密度が低いため上昇し、寒気は密度が高いため下降することから、暖房した室内では上層部ほど暖かく、床に近い下層部になると冷たくなる傾向がある。特に最近の空調器は冷暖房が一体化されて天井近くに設置されるため、暖気が下層に降りて来ず、天井近くでは暖かいにもかかわらず床面上では寒いと言う現象が発生する。あるいは、夏場に足元ばかりが冷えてしまうという現象が発生する。
【０００３】
このような現象を解消するために、例えば、天井に低速で回るシーリングファンを設置して室内空気を攪乱する方法などが行われる。しかし、シーリングファンは短時間で空気を均一化するのは難しい。特許文献１に記載のような、送風機と送風通路を設けた空気循環装置は、効率よく空気が循環できるが、送風通路が壁際に設置されるダクトであるから取り付け工事が大変である。特許文献２に記載のようなファンを内蔵した送風管は、送風管を天井側と床側の両方で固定している。
【特許文献１】特開平１０−３３２１８２号公報
【特許文献２】登録実用新案第３０１４２８８号公報
【考案の開示】
【考案が解決しようとする課題】
【０００４】
本考案の目的は、取り付け工事が簡単で、送風管が邪魔にならない室内用の空気循環具を提供することにある。
【課題を解決するための手段】
【０００５】
上記の目的を達成するため、本考案による室内用の空気循環具は、空気循環用のファンと、前記ファンに回動可能に取り付けられる吊り金具と、天井または壁に取り付けられ、前記吊り金具を掛けるフック付きの取付金具と、前記ファンの下部に着脱可能に装着され、天井側の空気を床側に送る、柔軟性のある部材で構成された円筒部と、を含むことを特徴とする。
【０００６】
前記柔軟性のある部材は、不織布又は樹脂製のシートであることが好ましい。
【０００７】
複数のＬＥＤが繋ぎ合わされたＬＥＤ発光体が、前記円筒部の内部に吊り下げられ、ムード照明体とされることが好ましい。
【考案の効果】
【０００８】
本考案による請求項１に記載の室内用の空気循環具によれば、工事は天井側だけでよい。そして、取付金具は、天井、壁のどちらにも取り付けることができる。フックによる吊り下げ方式であるから取り付けが簡単である。円筒部は、柔軟性のある部材を使用したので邪魔になりにくい。部屋を仕切るカーテンのように使用することもできる。また、使用しない場合は、下側を折り畳んで上側に縮めて留めておくこともできる。さらに、円筒部は着脱可能であるから、色や柄の異なるものへ交換する場合や、掃除する場合に便利である。
【０００９】
本考案の請求項２によれば、不織布の円筒部は、軽くて柔軟性があり吊り下げにも適している。不織布は、天然繊維、合成繊維、無機繊維があり、例えば無機繊維では不燃性の性質も得ることができる。樹脂製のシートも、軽くて柔軟性があり空気もれがないので素材として適している。
【００１０】
本考案の請求項３によれば、円筒部の内部にＬＥＤ発光体が設置されるので、低消費電力のムード照明体とすることができる。
【考案を実施するための最良の形態】
【００１１】
以下、図面を参照して本考案による室内用の空気循環具について説明する。
【実施例１】
【００１２】
図１は、本考案による吊り金具が取り付けられたファンの平面図である。ファンは、ＤＣファン１を使用している。ＤＣファン１の径は９０ｍｍである。ただし、このような径に限るものではない。ＤＣファン１は、１２Ｖ駆動で、電流が１６０ｍＡ、消費電力が２Ｗ、風量が１．２ｍ３／分である。なお、ＤＣファンに限らず、ＡＣファンとしてもよい。一般的には、ＤＣファンは、長所は軽いことで、短所はやや音がすることと、１００Ｖの交流電源から直流電源を作るＡＣアダプタが必要になることである。ＡＣファンは、長所は静かであること、風量が大きいことが上げられ、短所はやや重いことである。ファンは設置状況に応じて使い分けることができる。ところで、８畳の部屋の空気量は、高さを２．５ｍとして３３ｍ３である。ＤＣファン１の風量は１．２ｍ３／分であるため、部屋の上半分の暖かい空気約１６?は、約１３分で部屋の下部の冷たい空気と入れ替えできる計算になる。図１に示すように、吊り金具３はハウジング上部の支軸２に回動可能に取り付けている。吊り金具３は、アルミ製で、厚さ３ｍｍ、幅が約３０ｍｍの長尺の板をコ字形に成形したものである。
【００１３】
図２は取付金具の正面図である。取付金具４は、縦×横が６０ｍｍ×１２０ｍｍのもので、中央にフック５を有する。吊り金具３は、フック５に挟まれ、ネジ孔６ａ、６ｂにネジが通され、その動きが制限される。ネジ孔７ａ、７ｂ、７ｃ、７ｄは、取付金具４を壁または天井に固定するためのネジ孔である。
【００１４】
図３は、吊り金具が取付金具に挟み込まれた状態を示すＤＣファンの側面図である。吊り金具３は、一端がフック５で支えられた梁のように作用し、他端にＤＣファン１が支軸２を介して吊り下げられる。
【００１５】
図４は、壁に取り付けられた室内用の空気循環具の正面図である。室内用の空気循環具１００の全体は、ＤＣファン１と、ＤＣファン１に回動可能に取り付けられる吊り金具３と、吊り金具３を掛けるフック５付きの取付金具４と、ＤＣファン１の下部に着脱可能に装着される円筒部８からなる。図４に示すように、取付金具４が、壁１１にネジで取り付けられ、空気循環具１００が吊り下げられる。円筒部８は、天井側の空気を床側に送るもので、軽くて柔軟性のある不織布とした。ガラス繊維、カーボン繊維または金属繊維の不織布を使用すれば、不燃性とすることもできる。不織布は空気の清浄化の点からも好ましい。なお、円筒部８を柔軟性のある樹脂製のシートとしてもよい。樹脂製のシートは空気もれがないので循環効率がよい。紙製や布製としてもよい。さらに、円筒部８の下端に、フィルタが装着されたリング状の金具が設けられてもよい。この場合、重さで円筒部８に張りを与えられ下端部の揺れを防止できる。
【００１６】
図５は、天井に取り付けられた室内用の空気循環具の正面図である。室内用の空気循環具１００は、吊り金具３がＤＣファン１に回動可能に取り付けられているので、天井１２に取付金具を取り付けて真上から吊り下げるようにもできる。ＬＥＤ発光体１５の取り付けの様子も示す。
【００１７】
図６は、ＬＥＤ発光体の構成図である。ＬＥＤ発光体１５は、コントローラボックス１６からＬＥＤ１７が並列に例えば３０個が接続されたものである。ＬＥＤ１７は、１個の電流が２０ｍＡ程度と小さく発熱の心配がない。５Ｖで駆動できるから、単３電池２個、あるいは５Ｖ×１ＡのＡＣアダプタで光らせることができる。ＬＥＤを点滅させる回路などをコントローラに組み込んでもよい。このようなＬＥＤ発光体１５を円筒部８内に吊り下げる。これにより、室内用の空気循環具１００の装飾とデザイン性を高めることができる。
【産業上の利用可能性】
【００１８】
本考案は、取り付け工事が簡単で、送風管が邪魔にならない室内用の空気循環具であり、家庭用に限らず、お店などの業務用の部屋にも好適である。
【図面の簡単な説明】
【００１９】
【図１】本考案による吊り金具が取り付けられたファンの平面図である。（実施例１）
【図２】取付金具の正面図である。（実施例１）
【図３】吊り金具が取付金具に挟み込まれた状態を示すＤＣファンの側面図である。（実施例１）
【図４】壁に取り付けられた室内用の空気循環具の正面図である。（実施例１）
【図５】天井に取り付けられた室内用の空気循環具の正面図である。（実施例１）
【図６】ＬＥＤ発光体の構成図である。
【符号の説明】
【００２０】
１    ＤＣファン
２    支軸
３    吊り金具
４    取付金具
５    フック
６ａ、６ｂ    ネジ孔
７ａ、７ｂ、７ｃ、７ｄ    ネジ孔
８    円筒部
１１    壁
１２    天井
１３    フィルタ
１５    ＬＥＤ発光体
１６    コントローラボックス
１７    ＬＥＤ
１００    室内用の空気循環具
【図１】
0003115876.tif 000003
【図２】
0003115876.tif 000004
【図３】
0003115876.tif 000005
【図４】
0003115876.tif 000006
【図５】
0003115876.tif 000007
【図６】
0003115876.tif 000008